(57)【要約】      （修正有）【課題】コーヒー抽出後のドリップバッグコーヒーをカップから外す際、指先が汚ないようにするためのドリップバッグを保持するドリップバッグ用保持具を提供する。【解決手段】ドリップバッグコーヒーを淹れる場合、上面支持部をカップの口径に合わせて、延長部分を伸縮させ、上面支持部分にドリップバッグコーヒーのハンドル部分引っ掛ける、または、上に乗せてセットする。コーヒーを抽出させ出来上がったら、ハンドルを持ち上げ、カップより離脱させ、ゴミ箱などの上で、ひっくり返すと、手が汚れずに作業出来る。【選択図】図１
2017018231.tif 000002
【特許請求の範囲】
【請求項１】
容器の上方に配置されるドリップバッグを保持するドリップバッグ用保持具であって、前記ドリップバッグを保持して前記容器に裁置する保持部と、前記保持部の少なくとも一部から延出する取手部とを備えるドリップバッグ保持具。
【請求項２】
前記保持具をリング形状とし、その径方向対角線方向に伸縮自在とする請求項１に記載のドリップバッグ保持具。
【請求項３】
前記保持具を、その一側方を開口する形状とし、前記一側方若しくは、前記一側方に直交する方向に伸縮自在とする請求項１に記載のドリップバッグ保持具。
【請求項４】
前記保持具を、前記取手部の長手方向に対して直交する方向に伸縮自在とする請求項２または請求項３に記載のドリップバッグ保持具。
【発明の詳細な説明】
【技術分野】
【０００１】
本発明は、ドリップバッグコーヒー等を淹れる時に使う保持具であって、下にセットするカップの口径に合わせて、ドリップバッグコーヒー等のハンドル部分を引っ掛ける、または、上に乗せるものである。
【背景技術】
【０００２】
従来から知られているコーヒー抽出器は、漏斗部の内周に、下方から上方に向かって相互に間隔が広がる螺旋状に複数のリブが配置され、かつこのリブが下方に向かうにしたがって順次高くなるように隆起するように構成され、ペーパーフィルターが漏斗部の内周に密着することなく、通気が均一に行われコーヒー粉の蒸らしが均一かつ円滑に行われ、抽出されるコーヒーの風味を損なわないものであった（例えば特許文献１を参照）。
【０００３】
従来の技術において一般的なコーヒードリップバッグを利用したコーヒーの抽出方法の典型的な具体例が開示されている。
コーヒーの旨みを最大限に引き出すためには、十分に蒸らす必要があることは、
次の５ステップから構成される。
〈ステップ１〉コーヒーカップをあらかじめ温める。
〈ステップ２〉ドリップバッグを切り取り線に沿って開封し、コーヒーカップにセット。
〈ステップ３〉粉が浸る程度の熱湯（適温９０℃）を注いで、３０秒程蒸らす。
〈ステップ４〉２〜３回に分けてお湯を加えドリップ。  
〈ステップ５〉おいしいコーヒーが出来上がる。
【先行技術文献】
【特許文献】
【０００４】
【特許文献１】実用新案登録第３１１６２１９号公報
【発明の概要】
【発明が解決しようとする課題】
【０００５】
しかし、上記従来から公知のコーヒー抽出器を用いて上記典型的な抽出工程にてコーヒーを抽出すると、次の様な問題が生じる、ドリップバッグコーヒーで、コーヒーを淹れ終わり、このコーヒー抽出後のドリップバッグコーヒーをカップから外す際、濡れたドリップバッグコーヒーを両手の人差し指と親指で、左右の上方をつまんで外す時に指先が汚れてしまう形状のドリップバッグコーヒーが存在するも物に特に有効である。
【０００６】
本発明は、上記問題を解決するためになされたものであり、コーヒー抽出後のドリップバッグコーヒーをカップから外す際、指先が汚れてしまう事を解決する事を目的とする。
【課題を解決するための手段】
【０００７】
１、容器の上方に配置されるドリップバッグを保持するドリップバッグ用保持具であって、前記ドリップバッグを保持して前記容器に裁置する保持部と、前記保持部の少なくとも一部から延出する取手部とを備えるドリップバッグ保持具。
2、前記保持具をリング形状とし、その経方向若しくは対角線方向に伸縮自在とするドリップバッグ保持具。
3前記保持具を、その一側方を開口する形状とし、前記側方若しくは、側方に直交する方向に伸縮自在とするドリップバッグ保持具
【発明の効果】
【０００８】
例えばドリップバッグコーヒーを淹れる時に本発明品を使うと、コーヒーが抽出されるカップを下に置き、本発明品である、ドリップバッグ保持具をカップの上にセットする、この時カップの口径に合わせて、延長部を伸縮させカップにセットしドリップバッグコーヒーをセットする。上から湯を注ぎコーヒーをカップに抽出させる。抽出完了となったら、ドリップバッグ保持具のハンドルを持ち上げ、カップより容易に離す事が出来る。また本発明品を裏返すと、指先が汚れる事も無く、ドリップバッグコーヒーはゴミ箱等の廃棄する場所に落下する。
【図面の簡単な説明】
【０００９】
【図１】本発明の上面支持部がＯ字型の実施例の平面図である。
【図２】本発明の上面支持部がＯ字型の延長部分を伸ばした実施例の図である。
【図３】本発明品の上面支持部がＯ字型の物で、コーヒーカップの上に本発明品を乗せ、その上からドリップバッグコーヒーをセットしたもの。斜め上から見た図の実施例である。
【図４】本発明品の上面支持部がＯ字型で、図３で使われたカップよりも３０ミリ口径が大きいので、ドリップバッグ保持具の上面支持部の延長部を伸ばしてカップに本発明品を乗せてドリップバッグコーヒーをセットし斜め上から見た図の実施例である。
【図５】本発明の上面支持部がＵ型の上から見た実施例の図である。
【図６】本発明の上面支持部がＵ字型の延長部分を伸ばした実施例の上から見た図である。
【図７】本発明品の上面支持部がＵ字型写真で、コーヒーカップに上面支持部Ｕ字型で、ドリップバッグコーヒーをセットしたもの。斜め上から見た図の実施例である。
【図８】本発明品の上面支持部がＵ字型で、図７で使われたカップよりも３０ミリ口径が大きいので、本発明品の上面支持部の延長部を伸ばしてカップに上面支持部にドリップバッグコーヒーをセットし、斜め上から見た図の実施例である。
【図９】上面支持部２が上面支持部３の中に延長部分だけ、挿入されていて、延長部が露出するのは、上面支持部３延長部が出て来る。
【図１０】上面支持部３上面支持部２中に延長部分だけ、挿入されていて、延長部が露出するのは、上面支持部２延長部が出て来る。
【図１１】上面支持部をパイプ管として、中が空道になっていて、上面支持部２と上面支持部３が管、この中に延長部６別に芯の様に存在し、上面支持部２と上面支持部３離れると延長部６露出する。
【図１２】上面支持部２と上面支持部３が離れた分に相当する補間延長部材を構成し上面支持部２と上面支持部３間を継なぐ。
【図１３】○字型の、ドリップバッグ保持具で、上面支持部２２と２３が合わさって閉じてる状態。ハンドルの形状が、上面支持部から伸びてる状態。
【図１４】○字型の、ドリップバッグ保持具で、上面支持部２２と２３が開いてるてる状態。ハンドルの形状が、上面支持部から伸びてる状態。
【図１５】本発明品の上面支持部がＯ字型で、図３で使われたカップよりも３０ミリ口径が大きいので、ドリップバッグ保持具の上面支持部の延長部を伸ばしてカップに本発明品を乗せてドリップバッグコーヒーをセットし斜め上から見た図の実施例である。
【発明を実施するための形態】
【００１０】
図１の、ドリップバッグ保持具１１で、上面支持具２と上面支持具３が連結した状態は、円形状となる、上面支持具２の円弧の一端に上面支持部１が有り、円弧の反対方向にハンドル４が有りその先端にグリップ５を有す。
図１の実施例では、上面支持部２と上面支持具３が連結した円形状の直径は、７０ミリである、上面支持部１の寸法は、縦10ミリ横10ミリである。この上面支持部１、上面支持部２、上面支持具３、ハンドル４で重心をとる。
【００１１】
コーヒーを淹れる容器の基礎となる口径を７０ミリとして、これよりも小さなカップをセットする場合は、上面支持部２と上面支持具３とハンドル４部分で重心を取りコーヒーが淹れられる。
図２の実施例では、ドリップバッグ保持具１８で、上面支持具２と上面支持具３を伸ばした状態、上面支持具２と上面支持具３に、延長部6が格納されて有り、伸ばすと延長部６が出て、楕円形状となる、上面支持具２の円弧の一端に上面支持部１が有り、円弧の反対方向にハンドル４が有りその先端にグリップ５を有す。
【００１２】
図３の実施例は、コーヒーカップ小１０の上面にドリップバッグ保持具１１をセットし、その上から、ドリップバッグ７を乗せた図である。この実施例の場合、カップ小１０の口径が本発明品であるドリップバッグ保持具１１の口径と同じなので、そのままカップ小１０に乗せる事が出来る。ドリップバッグ７の取手９は、カップ１０の外側に出る。
【００１３】
図４の実施例は、コーヒーカップ大１２にドリップバッグ保持具１８をカップ大１２の上面にセットし、その上から、ドリップバックコーヒー７を取り付けた図である。この図の場合、カップ大１２の口径が大きく、ドリップバッグ保持具１８の口径が小さい為、ドリップバッグ７の取手９をドリップバッグ保持具１８に引っ掛け、下のカップ大12の口径まで上面支持部２と上面支持部３を引っ張ると、延長部６が出てきて、ドリップバッグ７の取手９がコーヒーカップ大12の外側になる。この為、濾布8の上から湯を注ぎ、コーヒーを淹れ終わっても、ドリップバッグ7の取手９がコーヒーに浸る事は無い。
【００１４】
図４の実施例において、ドリップバッグコーヒーで、本発明のドリップバッグ保持具を使って、コーヒーを淹れる場合。
1.カップ大１２の上に本発明のドリップバッグ保持具１１の延長部を伸ばした状態のドリップバッグ保持具１８を置く。
2. 図４においてカップ大１２と上面支持部２を合わせた位置１６に、上面支持部３を合わせる、
3. 上面支持部２を合わせた位置１６を手で押さえ、カップの反対側の上面支持部３を引っ張り、反対側のカップの淵が上の乗る上面支持部３と合うようにセットする。この作業は、本発明のドリップバッグ保持具１８の下に置くカップ大１２の淵の幅と本発明品のドリップバッグ保持具１８が伸びて広げた上面支持部２．上面支持部３を合わせる為のもので、カップにドリップバッグ７の取手９が合うようにセットする。
４.ドリップバッグコーヒー７の取手９の部分は、カップ大１２の外側になる様にセットする。
５.ドリップバッグの上から湯を注ぎ、コーヒーを抽出する、任意の湯量でコーヒーが出来上がる。
６.本発明のドリップバッグ保持具１１のハンドル４を握り、ドリップバッグ保持具１１を持ち上げコーヒーカップより離脱させる。
７.抽出完了されたドリップバッグコーヒー７をゴミ箱等の廃棄する場所で、本発明のドリップバッグ保持具１８をひっくり返すと容易に、ドリップバッグコーヒー７が落下する。
図４の実施例では、上面支持部２と上面支持具３の中に格納されていた、延長部６は３０リ伸びた状態で、１００ミリの楕半円となる。ドリップバッグ保持具１８の下に置くカップ大１２の口径は１００ミリの物まで使用可能であった。
【００１５】
図５の実施例ではドリップバッグ保持具１７で、上面支持部１３と上面支持具１４が連結した状態で、この上面支持具１３、上面支持具１４の中に延長部が格納されている。上面支持具１３、上面支持具１４の最大幅は７０ミリである。
図６の実施例では、ドリップバッグ保持具１９で、上面支持具１３と上面支持具１４を伸ばした状態で、上面支持具１３と上面支持具１４に格納されていた延長部１５が伸びる、上面支持部１３にハンドル４が有りその先端にグリップ５を有す。
【００１６】
図７の実施例は、カップ小１０にドリップバッグ保持具１７をカップ小１０の上面にセットし、その上から、ドリップバック７を取り付けた図である。この図の場合、カップ小１０がドリップバッグ保持具１７と同じ口径なので、そのままカップ小１０に乗せる事が出来る。ドリップバッグ７の取手９もカップ小の外側に出る。この為、濾布８の上から湯を注ぎ、コーヒーを淹れ終わっても、ドリップバッグ７の取手９がコーヒーに浸る事は無い。
図８の実施例は、カップ大１２にドリップバッグ保持具１９をカップ大１２の上面にセットし、その上から、ドリップバック７を取り付けた図である。この図の場合、カップ大１２の口径が大きく、ドリップバッグ保持具１９の口径が小さい為、上面支持部１３と上面支持部１４を引っ張ると、延長部Ｕ１５が出てきて、ドリップバッグ７の取手９がカップ大１２の外側になる。この為、ドリップバッグ、濾布８の上から湯を注ぎ、コーヒーを淹れ終わっても、ドリップバッグ７の取手９がコーヒーに浸る事は無い。
【００１７】
本発明品である、ドリップバッグ保持具の特長として、図２の延長部６及び図６の延長部１５がある。
上面支持部がＯ字型でもＵ字型でも、伸縮する。この伸縮方法は、４パターン考えられる。図９から図１２参照
図９のパターン１は、上面支持部２が上面支持部３の中に延長部分だけ、挿入されていて、延長部が露出するのは、上面支持部３延長部が出て来る。
図１０のパターン２は、上面支持部３上面支持部２中に延長部分だけ、挿入されていて、延長部が露出するのは、上面支持部２延長部が出て来る。
図１１のパターン３は、上面支持部をパイプ管として、中が空道になっていて、上面支持部２と上面支持部３が管、この中に延長部６別に芯の様に存在し、上面支持部２と上面支持部３離れると延長部６露出する。
図１２のパターン４は、上面支持部２と上面支持部３が離れた分に相当する補間延長部材を構成し上面支持部２と上面支持部３間を継なぐ。
図１３の、ドリップバッグ保持具２０で、上面支持具２１と上面支持具２２が連結した状態は、円形状となる。
図１４の実施例では、ドリップバッグ保持具２０で、上面支持具２１と上面支持具２２を伸ばした状態、上面支持具２１と上面支持具２２に、延長部２３が格納されて有り、伸ばすと延長部２３が出て、楕円形状となる。
上面支持具２１と上面支持具２２のそれぞれの両端にはハンドル２４が有り、何れか一つないし二つのハンドル２４を掴みドリップバッグ保持具２０を保持することができる。
図１５の実施例は、コーヒーカップ大１２にドリップバッグ保持具２０をカップ大１２の上面にセットし、その上から、ドリップバックコーヒー７を取り付けた図である。この図の場合、カップ大１２の口径が大きく、ドリップバッグ保持具２０の口径が小さい為、ドリップバッグ７の取手９をドリップバッグ保持具２０に引っ掛け、下のカップ大12の口径まで上面支持部２１と上面支持部２２を引っ張ると、延長部２３が出てきて、ドリップバッグ７の取手９がコーヒーカップ大12の外側になる。この為、濾布8の上から湯を注ぎ、コーヒーを淹れ終わっても、ドリップバッグ7の取手９がコーヒーに浸る事は無い。
【００１８】
本発明品である、ドリップバッグ保持具の特長として、廃棄方法がある。
上面支持部がＯ字型でもＵ字型でも、ドリップバッグでコーヒーを淹れ終わると、ドリップバッグ保持具のハンドルを握り上方に持ち上げる、滴が収まったところで、ドリップバッグを廃棄する場所に移動し、本発明品ドリップバッグ保持具を、ゆっくり回転させる、上面支持部が裏返しになり下方を向くとドリップバッグ７は落下する。この時グリップ５も回転して表と裏がひっくり返る、この感覚が手に伝わるので、実施例には、それぞれグリップ５を付けた。
また、グリップ５を、親指と人差し指でつまみ、廃棄場所で、グリップ５が裏返しになる様に回転させると、ドリップバッグ保持具に乗っていた、ドリップバッグは、落下する。
【符号の説明】
【００１９】
・  上面支持部
・  上面支持部
・  上面支持部
・  ハンドル
・  グリップ
・  延長部
7  ドリップバッグ
8  濾布
9  取手
10 カップ小
11ドリップバッグ保持具             
12カップ大
13上面支持部
14上面支持部
15延長部
16カップ大１２と上面支持部２を合わせた位置
17ドリップバッグ保持具
18ドリップバッグ保持具
19 ドリップバッグ保持具
20ドリップバッグ保持具
21上面支持部
22上面支持部
23延長部
24ハンドル
【図１】
2017018231.tif 000003
【図２】
2017018231.tif 000004
【図３】
2017018231.tif 000005
【図４】
2017018231.tif 000006
【図５】
2017018231.tif 000007
【図６】
2017018231.tif 000008
【図７】
2017018231.tif 000009
【図８】
2017018231.tif 000010
【図９】
2017018231.tif 000011
【図１０】
2017018231.tif 000012
【図１１】
2017018231.tif 000013
【図１２】
2017018231.tif 000014
【図１３】
2017018231.tif 000015
【図１４】
2017018231.tif 000016
【図１５】
2017018231.tif 000017